(57)【要約】【課題】  画像とともに表示させる設定項目の視認性を向上させる露出調整装置を提供する。【解決手段】  検出された被写体の輝度に基づく適切な露出値ＥＶＰがマイコンにより算出され（ステップＳ２０１）、露出値ＥＶＰよりも８ＥＶだけ大きい値を新たな目標露出値とするように、算出絞り値ＡＶＭが算出される（ステップＳ２０２）。そして、絞り値ＡＶを算出絞り値ＡＶＭに設定することが可能である場合、算出絞り値ＡＶＭをそのまま絞り値ＡＶとして設定する（ステップＳ２０５）。一方、算出絞り値ＡＶＭが絞り値の最大値ＡＶmaxよりも大きい場合、絞り値ＡＶを最大絞り値ＡＶmaxに設定する（ステップＳ２０４）とともに、ＣＣＤの撮影感度ＳＶを所定値だけ低下させる（ステップＳ２０６、Ｓ２０７）。このようにＣＣＤの露出を制御して、メニュー項目とともに表示される被写体の輝度を低下させる。【選択図】        図３
2006333052.tif 000002
【特許請求の範囲】
【請求項１】
被写体からの光を受光して画像信号を生成する撮像素子と、
前記撮像素子が受光する光の光量を調整する光量調整手段と、
前記画像信号に基づいて前記被写体の画像を表示する画像表示手段と、
前記画像とともに、動作内容を選択するためのメニュー項目を表示するメニュー項目表示手段とを備え、
前記メニュー項目が表示されるときに、前記光量調整手段が、前記メニュー項目が表示されないときよりも前記撮像素子が受光する光量を低下させることを特徴とする露出調整装置。
【請求項２】
前記撮像素子の感度を調整する感度調整手段をさらに有し、
前記メニュー項目が表示されるときに、前記感度調整手段が、前記メニュー項目が表示されないときよりも前記撮像素子の感度を低下させることを特徴とする請求項１に記載の露出調整装置。
【請求項３】
前記光量調整手段が、絞り機構と減光フィルタとの少なくともいずれか一方を含むことを特徴とする請求項１に記載の露出調整装置。
【請求項４】
被写体の輝度を検出する輝度検出手段と、
前記被写体の輝度に基づいて、前記撮像素子の目標露出値を設定する露出値設定手段とをさらに有し、
前記メニュー項目が表示されるときに、前記露出値設定手段が、前記メニュー項目が表示されないときよりも大きい前記目標露出値を設定し、前記光量調整手段が、前記目標露出値に基づいて前記撮像素子の露出量を低下させることを特徴とする請求項１に記載の露出調整装置。
【請求項５】
前記露出値設定手段が、前記メニュー項目が表示されるときに、前記メニュー項目が表示されないときよりも所定値だけ大きい前記目標露出値を設定することを特徴とする請求項４に記載の露出調整装置。
【請求項６】
前記露出値設定手段が、ユーザによって指定された前記目標露出値を設定できることを特徴とする請求項４に記載の露出調整装置。
【請求項７】
前記画像表示手段が、前記画像をスルー画像として表示することを特徴とする請求項１に記載の露出調整装置。
【請求項８】
被写体からの光を受光して画像を生成する撮像素子と、
前記画像信号に基づいて前記被写体の画像を表示する画像表示手段と、
前記撮像素子の感度を調整する感度調整手段と、
前記画像とともに、動作内容を選択するためのメニュー項目を表示するメニュー項目表示手段とを備え、
前記メニュー項目が表示されるときに、前記感度調整手段が、前記メニュー項目が表示されないときよりも前記撮像素子の感度を低下させて、前記撮像素子の露出量を低下させることを特徴とする露出調整装置。
【発明の詳細な説明】
【技術分野】
【０００１】
本発明は、露出調整装置に関し、特に、撮影条件等を設定するための設定項目の表示に応じて露出を調整する露出調整装置に関する。
【背景技術】
【０００２】
デジタルカメラ、ビデオカメラ等の画像表示が可能な装置においては、画像とともに、撮影等のための設定項目が表示される（例えば特許文献１参照）。そしてユーザは、画像とともに画面上に表示された設定項目の中から、所定のメニュー項目等を選択する。この場合、ユーザが新たに設定したメニュー項目に応じて画像が直ちに切換わるため、所望の画像が得られるか否かが、撮影等に先立って容易に確認できる。
【特許文献１】特開２００２―２９７２７８号公報（段落［００３４］〜［００５４］、図４〜１２参照）
【発明の開示】
【発明が解決しようとする課題】
【０００３】
デジタルカメラ等の画像を表示可能な装置において、例えば、輝度の非常に高い被写体を含む表示画像とともに設定項目が白く表示される場合など、表示される画像等によっては設定項目が視認しにくいことがある。この場合、設定項目の選択が困難になり、デジタルカメラ等の操作性が低下する。
【０００４】
本発明は、画像とともに表示される設定項目の視認性を向上させるための露出調整装置を提供することを目的とする。
【課題を解決するための手段】
【０００５】
本発明の第１の露出調整装置は、被写体からの光を受光して画像信号を生成する撮像素子と、撮像素子が受光する光の光量を調整する光量調整手段と、画像信号に基づいて被写体の画像を表示する画像表示手段と、画像とともに、動作内容を選択するためのメニュー項目を表示するメニュー項目表示手段とを備える。そして、メニュー項目が表示されるときに、光量調整手段が、メニュー項目が表示されないときよりも撮像素子が受光する光量を低下させることを特徴とする。
【０００６】
第１の露出調整装置は、撮像素子の感度を調整する感度調整手段をさらに有し、メニュー項目が表示されるときに、感度調整手段が、メニュー項目が表示されないときよりも撮像素子の感度を低下させることが好ましい。また、光量調整手段が、絞り機構と減光フィルタとの少なくともいずれか一方を含むことが好ましい。
【０００７】
第１の露出調整装置は、被写体の輝度を検出する輝度検出手段と、輝度検出手段が検出した被写体の輝度に基づいて、撮像素子の目標露出値を設定する露出値設定手段とをさらに有し、メニュー項目が表示されるときに、露出値設定手段が、メニュー項目が表示されないときよりも小さい目標露出値を設定し、光量調整手段が、目標露出値に基づいて撮像素子の露出量を低下させることが望ましい。また、露出値設定手段は、メニュー項目が表示されるときに、メニュー項目が表示されないときよりも所定値だけ大きい目標露出値を設定することがより望ましい。
【０００８】
露出値設定手段は、ユーザによって指定された目標露出値を設定できることが好ましい。画像表示手段は、例えば画像をスルー画像として表示する。
【０００９】
本発明の第２の露出調整装置は、被写体からの光を受光して画像を生成する撮像素子と、画像信号に基づいて被写体の画像を表示する画像表示手段と、撮像素子の感度を調整する感度調整手段と、画像とともに、動作内容を選択するためのメニュー項目を表示するメニュー項目表示手段とを備える。そして、メニュー項目が表示されるときに、感度調整手段が、メニュー項目が表示されないときよりも撮像素子の感度を低下させて、撮像素子の露出量を低下させることを特徴とする。
【発明の効果】
【００１０】
本発明によれば、画像とともに表示させる設定項目の視認性を向上させる露出調整装置が実現できる。
【発明を実施するための最良の形態】
【００１１】
図１は、第１の実施形態におけるデジタルカメラのブロック図である。
【００１２】
デジタルカメラ１０には、全体を制御するマイコン１７が設けられている。メインスイッチ（ＳＷＭ）１１は、デジタルカメラ１０のスイッチであり、ユーザにより操作されてオン状態になるとマイコン１７が作動を開始する。マイコン１７には、メニューボタン１３、モードダイヤル１４、測光スイッチ（ＳＷＳ）１５、レリーズスイッチ（ＳＷＲ）１６、十字キー２１、ＯＫボタン２３等が接続されており、ユーザの操作に応じた所定の信号がマイコン１７に送信される。また、望遠スイッチ（ＳＷＴ）２７と広角スイッチ（ＳＷＷ）２８とは、デジタルカメラ１０表面に設けられたズームスイッチ（図示せず）の左あるいは右の領域をそれぞれ押下することによってオンになり、望遠、広角撮影のための信号がマイコン１７に送信される。
【００１３】
モードダイヤル１４が所定の回転位置に定められることにより、被写体を撮影する撮影モード、撮影画像を再生する再生モード等に対応した信号がマイコン１７に送られ、各モードの設定が行われる。また、ＥＥＰＲＯＭ４４には、各設定モードに応じて読み出される、マイコン１７の信号処理のために必要な様々なデータが記憶されている。そして撮影モードにおいては、以下のように、被写体像がＬＣＤモニタ２２上に表示される。
【００１４】
まず、ＣＣＤ３８が、撮影レンズ３０を介して被写体からの反射光を受光し、ＣＣＤ３８に設けられた多数の光電変換素子において画像に対応した電荷が発生する。そして、ＣＣＤ駆動回路３６による制御に基づきＣＣＤ３８から読み出された電荷信号、すなわち画像信号は、ＣＤＳ回路３９においてノイズが低減され、Ａ／Ｄ変換器４０でアナログの画像信号からデジタルの画像信号に変換される。デジタル化された画像信号は、マイコン１７へ送られる。
【００１５】
マイコン１７内の信号処理回路（図示せず）において、デジタル画像信号には、ホワイトバランス調整、ガンマ補正などの様々な信号処理が施され、輝度信号、及び色差信号が生成される。生成された輝度信号、及び色差信号、すなわち画像データは、ＤＲＡＭ４２に記録される。マイコン１７による被写体の測光動作は、生成された輝度信号に基づいて行われる。本実施形態においては、例えばＣＣＤ３８の有効撮像領域は縦横４×４の１６領域に分割されており、分割された領域ごとに平均化された輝度値に基づいて、所定のアルゴリズムに従って、適切な露出値（目標露出値）、すなわち適切なＣＣＤ３８の露出量がマイコン１７により算出される。
【００１６】
画像データの生成は周期的に更新され、ＬＣＤモニタ２２にはリアルタイムの動画としてスルー画像が表示される。なお、ＬＣＤモニタ２２の表示画素数は、例えば６４０×４８０画素であって、ＣＣＤ３８の有効画素数よりも少ないため、ＬＣＤモニタ２２に表示される被写体像の画像データには、マイコン１７により間引き処理が施されている。また、メニューボタン１３が押下されると、マイコン１７の制御に基づき、ＬＣＤモニタ２２上には、所定のメニュー項目を示す文字、数字等が被写体像にスーパーインポーズされて表示される。
【００１７】
ユーザは、ＬＣＤモニタ２２に表示された、撮影、もしくは画像再生等のための様々な動作モードや各種動作項目をメニュー項目ごとに定めるパラメータを選択して、デジタルカメラ１０に所望の動作内容を実行させることができる。メニュー項目には、例えば、記録サイズ（画像の解像度）、画質、ホワイトバランス等が含まれる。そして、選択されたパラメータに応じた信号がマイコン１７に送られることにより、所望のパラメータが被写体の撮影、もしくは画像の再生等に使用される。なお、ここでのパラメータには、ユーザが選択可能な数値に加え、予め設定されている選択可能な複数の動作モードが含まれる。
【００１８】
デジタルカメラ１０の表面には、レリーズボタン（図示せず）が設けられている。レリーズボタンが半押しされると、マイコン１７に接続された測光スイッチ１５がオン状態となる。測光スイッチ１５がオン状態になると、マイコン１７は、オートフォーカスのためにＡＦ・絞り駆動機構３４を制御する。そして、ＣＣＤ３８から出力される輝度信号に基づいて、マイコン１７は露出値を算出する。
【００１９】
さらにレリーズボタンが全押しされると、レリーズスイッチ１６がオン状態になる。そして、算出された露出値に基づいて、マイコン１７により絞り３１の絞り値が所定の値に設定される。さらにＡＦ・絞り駆動機構３４が、マイコン１７からの制御信号に基づいて、設定された絞り値に対応する所定量だけ絞り３１を開き、シャッタ（図示せず）が所定の開度で所定時間だけ開放される。そして、撮影レンズ３０を介して入射する被写体からの反射光により、ＣＣＤ３８が露光される。
【００２０】
ＣＣＤ３８から読み出された画像信号に基づいて、マイコン１７にて画像データが生成され、ＤＲＡＭ４２に記録される。また、メモリカード４６がデジタルカメラ１０の本体に挿入されていた場合、画像データは、インターフェイス４３を介してメモリカード４６に送信され、メモリカード４６にも記録される。なお、再生モードにおいてＬＣＤモニタ２２に画像が再生表示される際には、画像データに間引き処理が施されているものの、画像データの記録時には、間引き処理は実施されない。
【００２１】
メニュー項目をＬＣＤモニタ２２上に表示させるためにメニューボタン１３が操作されると、マイコン１７は、メニュー項目をＬＣＤモニタ２２に表示させるとともに、メニューボタン１３の操作直前に設定されていた目標露出値を所定値だけ、例えば８ＥＶだけ大きくする。この結果として、ＣＣＤ３８の露出量は、被写体画像とともにメニュー項目を表示するように指示されると、所定量だけ小さい露出量まで低下される。
【００２２】
そしてマイコン１７は、新たに算出した露出値（ここでは８ＥＶ分大きくなった新たな目標露出値）に基づいて、ＡＦ・絞り駆動機構３４を制御して絞り３１の絞り値を大きくし、絞り３１を絞り込む。このように、ＣＣＤ３８の受光する光量を所定量だけ低下させて、見かけ上８ＥＶ分だけ露出アンダー状態の画像とする。以上のように、メニュー項目が被写体画像とともに表示されるときに、ＣＣＤ３８の露出量が低下するため、表示される被写体の輝度が低下してメニュー項目が視認され易くなる。
【００２３】
ここで、被写体の輝度が十分に高くて、絞り３１の絞り値が最大絞り値（絞りの開口径が最小となる絞り値）に達し、さらに所定の値まで絞り込むことができないために、ＣＣＤ３８の露出量を所定量だけ低下させることができない場合がある。この場合には、マイコン１７により、絞り値を最大絞り値とした上で、本来設定すべき露出値と絞り３１の最大絞り値との差分に相当する分だけ、ＣＣＤ３８の撮影感度が低下される。この結果、８ＥＶ分だけ露出アンダー状態の被写体画像が生成される。
【００２４】
なお撮影モードにおいて、ズームスイッチ（図示せず）の操作により、望遠スイッチ２７と広角スイッチ２８とのいずれかがオンになると、望遠、もしくは広角撮影のための信号がマイコン１７に送信される。そして、ズームレンズである撮影レンズ３０のズーム位置を示す信号がズームエンコーダ３２からマイコン１７に送られ、ズーム駆動機構２６が、撮影レンズ３０を所定の焦点距離となる位置に移動させる。
【００２５】
図２は、撮影モードにおける画像生成ルーチンを示すフローチャートである。図３は、画像生成ルーチンにおける露出制御を示すメニュー画面制御ルーチンのフローチャートである。
【００２６】
画像生成ルーチンは、デジタルカメラ１０のメインスイッチ１１がオンになると開始する。ステップＳ１０１では、撮影モードが選択されているか否かが判断され、撮影モードが選択されていると判断されるとステップＳ１０２に進む。ステップＳ１０２では、被写体画像がスルー画像としてＬＣＤモニタ２２上に表示され、ステップＳ１０３に進む。ステップＳ１０３では、測光スイッチ１５がオンであるか否かが判断される。そして測光スイッチ１５がオンであると判断されると、ステップＳ１０４に進み、測光スイッチ１５がオンでないと判断されると、ステップＳ１０５に進む。
【００２７】
ステップＳ１０４では、オートフォーカス処理、測光処理が行われ、ステップＳ１０６に進む。ステップＳ１０６では、レリーズスイッチ１６がオンであるか否かが判断される。そしてレリーズスイッチ１６がオンであると判断されるとステップＳ１０７に進み、レリーズスイッチ１６がオンでないと判断されるとステップＳ１０５に進む。
【００２８】
ステップＳ１０５では、メニュー項目をＬＣＤモニタ２２上に表示させる指示があったか否かが判断される。そしてメニュー項目の表示指示があった場合、ステップＳ１０８に進み、メニュー項目の表示指示がなかった場合にはステップＳ１０３に戻る。ステップＳ１０８においては、メニュー画面制御ルーチンが開始する（図３参照）。
【００２９】
ステップＳ１０７では、マイコン１７により算出された適正な露出値に基づき、絞り３１の絞り値が調整されて露出が制御されつつ、被写体の静止画像が生成される。そしてステップＳ１０９において、生成された被写体画像がメモリカード４６等の記録媒体に記録され、画像生成ルーチンは終了する。
【００３０】
一方、メニュー画面制御ルーチンは、画像生成ルーチンにおけるステップＳ１０５において、メニュー項目の表示指示があった場合に開始する（図３参照）。ステップＳ２０１では、被写体の輝度に基づく適切な露出値ＥＶＰがマイコン１７により算出され、ステップＳ２０２に進む。ステップＳ２０２では、算出された露出値ＥＶＰよりも８ＥＶだけ大きい値を新たに露出値とするように、算出絞り値ＡＶＭが算出される。すなわち、ステップＳ２０１において算出された露出値ＥＶＰに８ＥＶだけ加えた新たな露出値から、ＣＣＤ３８の電荷蓄積時間ＴＶを減じた値が、算出絞り値ＡＶＭとしてマイコン１７により算出される。算出絞り値ＡＶＭが算出されると、ステップＳ２０３に進む。
【００３１】
ステップＳ２０３においては、算出絞り値ＡＶＭが、絞り３１の絞り値の最大値ＡＶmaxよりも大きいか否かが判断される。そして、算出絞り値ＡＶＭが最大絞り値ＡＶmaxよりも大きいと判断されるとステップＳ２０４に進み、算出絞り値ＡＶＭが、最大絞り値ＡＶmaxと等しいか、あるいは最大絞り値ＡＶmaxよりも小さいと判断されると、ステップＳ２０５に進む。ステップＳ２０４では、絞り３１の絞り値ＡＶを算出絞り値ＡＶＭに設定することができないため、絞り値ＡＶを最大絞り値ＡＶmaxに設定してステップＳ２０６に進む。
【００３２】
ステップＳ２０６では、ＣＣＤ３８の撮影感度ＳＶについての演算処理がなされる。すなわち、設定すべき露出値と絞り３１の最大絞り値ＡＶmaxとの差分をＣＣＤ３８の撮影感度ＳＶで調整するために、算出撮影感度ＳＶＭが、算出絞り値ＡＶＭと最大絞り値ＡＶmaxとの差として算出される。続くステップＳ２０７では、ＣＣＤ３８の撮影感度ＳＶが算出撮影感度ＳＶＭだけ低下するように、マイコン１７によりＣＣＤ３８からの画像信号の出力ゲインが所定量だけ低下され、ステップＳ２０８に進む。
【００３３】
一方、ステップＳ２０５においては、絞り値ＡＶを算出絞り値ＡＶＭに設定することが可能であるため、算出絞り値ＡＶＭをそのまま新たな絞り値ＡＶとして設定し、絞り３１、ＡＦ・絞り駆動機構３４による絞り制御を行なってステップＳ２０８に進む。
【００３４】
ステップＳ２０８では、絞り制御、もしくは絞り制御とＣＣＤ３８の撮影感度の調整によって、通常よりも輝度が低下した被写体のスルー画像をＬＣＤモニタ２２上に背景レイヤーとして表示し、ステップＳ２０９に進む。ステップＳ２０９では、被写体画像を示す背景レイヤーにスーパーインポーズさせる上位レイヤーとして、メニュー項目をＬＣＤモニタ２２上に表示し、ステップＳ２１０に進む。なお、メニュー項目で表示される画像は、文字や数字、シンボルマーク、枠線等であり、これらは、例えば白抜き文字あるいは白線で描画される。
【００３５】
ステップＳ２１０においては、表示されたメニュー項目のいずれかについて、ユーザによって新たなパラメータが選択されたか否かが判断され、パラメータが新たに選択されたと判断されるとステップＳ２１１に進み、新たに選択されていないと判断されるとステップＳ２１２に進む。ステップＳ２１１では、例えば記録サイズ（画像の解像度）、画質、ホワイトバランス等のメニュー項目のいずれかについて、新たに選択されたパラメータに応じて設定内容が変更され、ステップＳ２１２に進む。
【００３６】
ステップＳ２１２では、ユーザの操作に応じてＬＣＤモニタ２２上のメニュー項目表示が終了し、ステップＳ２１３に進む。ステップＳ２１３では、通常の輝度を有する被写体画像、すなわち、算出絞り値ＡＶＭではなく露出値ＥＶＰから算出される絞り値ＡＶに対応する開度まで絞り３１を開いて絞り込みを解除し、さらに必要に応じて撮影感度を算出撮影感度ＳＶＭから所定の値まで大きくして得られる被写体画像が、ＬＣＤモニタ２２上に表示される。そしてメニュー画面制御ルーチンは終了し、画像生成ルーチンのステップＳ１０３に戻る。
【００３７】
図４は、メニュー項目が表示されていない状態でのＬＣＤモニタ２２上の被写体画像を例示する図である。図５は、メニュー項目とともに表示される、ＬＣＤモニタ２２上の被写体画像を例示する図である。
【００３８】
メニュー項目が表示されずに被写体画像のみが表示される場合には、図４に例示するように、検出された被写体輝度により定められた露出値ＥＶＰに基づく絞り値ＡＶが設定され、通常の輝度を有する被写体画像が表示される。一方、図４と同じ被写体が同一の設定条件で表示されていたときにメニュー項目が表示されると、絞り値ＡＶよりも大きい算出絞り値ＡＶＭ、もしくは最大絞り値ＡＶmaxが設定され、さらに必要に応じてＣＣＤ３８の撮影感度ＳＶが算出撮影感度ＳＶＭまで低下されるため、８ＥＶに相当する分だけ露出量がアンダー状態となった低輝度の被写体画像が表示される（図５参照）。
【００３９】
メニュー項目は、図５に例示するように、文字、数字、記号等を含み、人物像や山、海、船等を含む被写体画像と混在するように表示される。すなわち、メニュー項目は、ＬＣＤモニタ２２の隅などに設けられた特定かつ少数の表示領域に表示されるのではなく、ＬＣＤモニタ２２の広い範囲に渡って、不特定かつ非常に多くの細かい表示領域において表示される。このため、メニュー項目が表示されるときには、メニュー項目を容易に視認できるように、被写体の輝度が低下していることが好ましい。
【００４０】
以上のように本実施形態によれば、様々なメニュー項目が、輝度の低下した被写体画像とともに表示されることにより、メニュー項目の視認性が向上する。さらに、輝度の低下した被写体画像（図５参照）においても被写体の輪郭は認識でき、被写体像が完全に失われてはいないことから、メニュー項目と被写体とを同時に認識しながらのフレーミング動作が可能になる。
【００４１】
図６は、第２の実施形態におけるデジタルカメラ１０のブロック図である。
【００４２】
第２の実施形態のデジタルカメラ１０においては、ＮＤフィルタ３５（減光フィルタ）とＮＤフィルタ駆動機構３７とが設けられている点が、第１の実施形態と異なる。そして、撮影モードにおいて被写体の輝度が著しく高い場合、マイコン１７の制御によって、ＮＤフィルタ３５が被写体からの反射光の光路上に配置される。この結果、ＣＣＤ３８が受光する光の光量を適当なレベルまで低下させることができる。
【００４３】
図７は、本実施形態におけるメニュー画面制御ルーチンを示すフローチャートである。
【００４４】
本実施形態においては、メニューボタン１３の操作前に表示されていた被写体の輝度が高く、絞り３１の絞り値ＡＶによる調整のみでは新たな目標露出値を実現できない場合には、ＣＣＤ３８の撮影感度ＳＶを調整せずに、ＮＤフィルタ３５が用いられる。
【００４５】
すなわち、本実施形態のメニュー画面制御ルーチンにおいては、ステップＳ２０３において、算出絞り値ＡＶＭが最大絞り値ＡＶmaxよりも大きいと判断されると、ステップＳ２０４で絞り３１の絞り値ＡＶを最大絞り値ＡＶmaxに設定し、さらにステップＳ２０６において、絞り３１とともにＮＤフィルタ３５を用いて露出制御を行なう。
【００４６】
以上のように本実施形態によれば、ＮＤフィルタ３５を用いることにより、メニュー項目とともにＬＣＤモニタ２２に表示される被写体の輝度を大きく低下させることができる。
【００４７】
なおＮＤフィルタ３５は、低下させる光量が調整できないことから、絞り３１の絞り値ＡＶを最大絞り値ＡＶmaxに設定した上で用いると、８ＥＶ分よりも大きく露出アンダー状態の被写体画像が生成される場合がある。このときメニュー項目は、８ＥＶ分だけの露出アンダーの被写体画像よりもさらに視認しやすくなる。一方、ＮＤフィルタ３５と併用するときの絞り３１絞り値ＡＶを調整することにより、メニュー項目を表示するときの露出値が所定の値となるように設定しても良い。
【００４８】
また、通常の画面における被写体の輝度が著しく高い場合、絞り値ＡＶを最大絞り値ＡＶmaxに設定し、ＮＤフィルタ３５を使用した上で、さらにＣＣＤ３８の撮影感度ＳＶを低下させても良い。
【００４９】
いずれの実施形態においても、通常画像を表示する場合と、メニュー項目とともに被写体画像を表示する場合との露出値の差は、８ＥＶに限定されない。また、被写体画像のみを表示するときに比べて、被写体画像とともにメニュー項目を表示するときに目標露出値をどれだけ大きくさせるか、その結果として露出量をどれだけ小さくさせるかは、パラメータの選択によってユーザが設定可能であっても良い。
【００５０】
また、上記の実施形態においては、既存の構成を利用でき、かつ制御がしやすい点で、絞り３１を絞り込む制御をすることにより露出アンダーの画像を生成したが、低コストな固定絞りのデジタルカメラの場合は、ＮＤフィルター３５のみを用いる構成としてもよい。
【図面の簡単な説明】
【００５１】
【図１】第１の実施形態におけるデジタルカメラのブロック図である。
【図２】撮影モードにおける画像生成ルーチンを示すフローチャートである。
【図３】画像生成ルーチンにおける露出制御を示すメニュー画面制御ルーチンを示すフローチャートである。
【図４】メニュー項目が表示されていない状態での被写体画像を例示する図である。
【図５】メニュー項目とともに表示される被写体画像を例示する図である。
【図６】第２の実施形態におけるデジタルカメラのブロック図である。
【図７】第２の実施形態におけるメニュー画面制御ルーチンを示すフローチャートである。
【符号の説明】
【００５２】
１０  デジタルカメラ
１７  マイコン（感度調整手段・輝度検出手段・露出値設定手段）
２２  ＬＣＤモニタ（画像表示手段・メニュー項目表示手段）
３１  絞り（光量調整手段・絞り機構）
３４  ＡＦ・絞り駆動機構（光量調整手段・絞り機構）
３５  ＮＤフィルタ（光量調整手段・減光フィルタ）
３８  ＣＣＤ（撮像素子・輝度検出手段）
【図１】
2006333052.tif 000003
【図２】
2006333052.tif 000004
【図３】
2006333052.tif 000005
【図４】
2006333052.tif 000006
【図５】
2006333052.tif 000007
【図６】
2006333052.tif 000008
【図７】
2006333052.tif 000009